(57)【要約】【課題】ユーザーがいつでもどこでも目やに除去とその直後のアイケアが行えるものを購入しようと望むとき、市販の目薬液、人工涙液、洗眼薬液のそれぞれは、どれも一室からなる点眼容器または瓶に収容された単種単品の包装の商品形態で販売されていて、適切なものを選ぶのに戸惑う。つまりそこには商品形態の改善という課題がある。【解決手段】流体が互いに連通しないように仕切られたＡ室とＢ室の二室構成の点眼容器本体においてＡ室には所定量の洗眼薬液を、Ｂ室にはＡ室の所定量の洗眼薬液の液量の１／１０量以上１／２量以下の所定量の人工涙液または目薬液を収容した二室構成の点眼容器の１個または複数個からなる目薬セットを提供し、この目薬セットを目薬セットの使用法・効能説明書と共に一体的に包装し、その包装の外面に洗眼薬液と人工涙液または目薬液が収納されているという趣旨を表示した商品形態である目薬セット包装体を提供する。【選択図】図１
2008104822.tif 000002
【特許請求の範囲】
【請求項１】
Ａ室１ａとＢ室１ｂの二室からなる容器のＡ室１ａとＢ室１ｂの二室は互いに液体が連通しないように仕切られてあり、前記二室ともそれぞれが閉じた空間をなし、前記Ａ室１ａは所定の内容積を有し、前記Ｂ室１ｂは前記Ａ室１ａの内容積の１／１０以上１／２以下の所定の内容積を有する容器本体において、
前記Ａ室１ａの外側の所定の一側面に設けた突起形状のノズル部２ａを、
前記ノズル部２ａは該ノズル部２ａの突起形状の突起先端で所定の寸法の口径を有して外部に開いている点眼口３ａと前記点眼口３ａから前記Ａ室１ａに連通して形成する連通孔４ａと前記点眼口３ａの開閉を行う蓋５ａとを、
前記Ｂ室１ｂの外側の所定の一側面に設けた突起形状のノズル部２ｂを、
前記ノズル部２ｂは該ノズル部２ｂの突起形状の突起先端で所定の寸法の口径を有して外部に開いている点眼口３ｂと前記点眼口３ｂから前記Ｂ室１ｂに連通して形成する連通孔４ｂと前記点眼口３ｂの開閉を行う蓋５ｂとを、
備えた二室構成の点眼容器を形成し、
該点眼容器に内包されている前記Ａ室１ａには所定量の洗眼薬液を、
該点眼容器に内包されている前記Ｂ室１ｂには所定量の人工涙液または目薬液を、
収容した該点眼容器の一個または複数個からなることを特徴とする目薬セット。
【請求項２】
前記目薬セットと、前記目薬セットの使用法の説明書きと、前記目薬セットが有する洗眼薬液と人工涙液または目薬液の効能の説明書きと、を一体的に包装した包装体であると共に、前記目薬セットに洗眼薬液と人工涙液を収容した場合は洗眼薬液と人工涙液の両者が収納されている趣旨の説明書きを、または前記目薬セットに洗眼薬液と目薬液を収容した場合は洗眼薬液と目薬液の両者が収納されている趣旨の説明書きを、前記包装体の外面の所定の場所に表示した包装体であることを特徴とする目薬セット包装体。
【発明の詳細な説明】
【技術分野】
【０００１】本発明は、目薬セットと目薬セット包装体に関する。
【背景技術】
【０００２】デジタル化が加速的に社会に浸透しつつある昨今、人々は、日々の労働、教育、娯楽ならびに家庭などの環境において、映像パネルの画面を長時間見つめることにならざるをえないという事態に直面し、目を酷使している。このため人々は、目やにによる目のかすみ、目の乾き、目の充血などを起こすことが多いので、市販の洗眼薬、人工涙液、目薬液によるアイケアに関心を寄せている。この事情は、例えば、株式会社富士経済のマーケット情報が、「アイケアのための洗眼薬、人工涙液、目薬液等に係るわが国の２００４年における市場規模が５７９億円に達している」と伝えていることからも分かる。【０００３】市販の洗眼薬、人工涙液、目薬液は、点眼容器に封入され販売されているので、アイケアにおける重要な問題の一つは点眼容器とその商品形態にある。そこで、点眼容器の従来技術を調査し、項別に（Ａ）、（Ｂ）および（Ｃ）として分類してまとめた結果を次に述べる。
（Ａ）点眼液の滴下・投与の容易性または確実性の改良を行ったもの
この分類に属する従来技術では多くの特許が公知であり、そのうちの代表的例を示せば、衛生的に点眼することができ点眼が容易な点眼容器（実用新案公開平７−３６４５号公報）、点眼時に安定に正確に点眼することができる点眼容器（特許公開２００５−２２６７３号公報）、点眼容器本体の押圧操作に連れて常に一定量の液体を確実に滴下投与することができる点眼容器（特許公開２００５−１８５８４６号公報）がある。
（Ｂ）点眼液をジェットまたは噴霧で投与するもの
この分類に属する従来技術のうちの代表的例を示せば、直接に点眼容器を直視することなく、動作中も快適に点眼を可能にする点眼容器（特許公開平６−２９２７０３号公報）、顔の正面から水平にスプレイすることにより点眼液を確実に噴霧点眼できる点眼容器（特許公開平８−８９５７５号公報）、子供や目の不自由な人でも、また歩行中や会議中でも点眼液をスプレイ状でつけることができる点眼容器（特許公開２０００−３１６９７４号公報）、正面を向いたままの無理のない姿勢でも、目薬液を点眼することの出来る点眼容器（特許公開２００２−１９１６７１号公報）、がある。
（Ｃ）点眼容器に対しオプション的な工夫を行ったもの
この分類に属する従来技術の例は非常に多い。そのうちの代表的例を示せば、鐘状の周壁の面形状が一の目の周りに適合する楕円乃至長円形で、その周壁の下端面がその目の周りの凹凸に適合する彎曲面状の滴下幇助部材を設けた点眼容器（実用新案公開平５−２４０３８号公報）、点眼容器本体の上部に、その滴下口を包覆するガマ口状蓋体を開閉自在に装備した点眼容器（特許公開平１１−１５５９２９号公報）、収納目薬を使い切った際には容器体を交換することが出来、しかも交換も容易に行える点眼容器（特許公開平１１−１９３０４７号公報）、蓋がヒンジ部を介してキャップ本体に連結され、所定角度の開蓋状態で保持される点眼容器（特許公開２００２−３６２６０３号公報）、接眼ガイド部材の設置のみにて、点眼容器を適正な位置にセットすることを可能にして、適量の点眼を容易かつ確実に行うことができる点眼容器（特許公開２００３−３１０７１０号公報）がある。【０００４】以上の（Ａ）、（Ｂ）および（Ｃ）の各項で述べた従来の点眼容器は、いずれも一室構成の点眼容器における点眼機能の改良に終始している。本発明は、二室構成の点眼容器の目薬セットと目薬セット包装体の提案を行うものであり、上記の引用発明は、本発明の直上特許の関係にない。【０００５】一方、点眼容器の従来技術として、例えば白内障治療薬の点眼容器において、次のようなもの（実用新案公開平７−８７７号公報）が公知である。これを説明すると、点眼に先立ち粉末または顆粒状薬剤を点眼液に添加混合し溶解した上で点眼するため、この点眼容器の構成は、初めには二種類の内容物を単一の容器において分離収納し、使用時においては両者を混合さらには溶解することができるように、その混合内容物を取り出し可能な単一の容器の中に、二つの収納部を設け、二種類の内容物を区分けして収納可能とした二重容器（つまり二室構成の点眼容器）になっている。【０００６】一般的な市販目薬液の場合は、目薬を容器から滴下したあと、外気が容器中に導入されることによる点眼液の雑菌による汚染を防止するため、問題を起こさない防腐剤を混合している。しかし防腐剤を用いない手段として二室構成の点眼容器が提案されている。その例として、容器本体内に設けたハウジングとタンク、アクチュエーター、定量滴下型バルブを備え、圧縮ガスとともに容器本体内に充填した点眼液を、圧縮ガスの圧力によって目にスプレイするというもの（特許公開２００３−１９０２５５号公報）がある。【０００７】同じように点眼液が雑菌により汚染され難い点眼容器として、容器本体が点眼液溜り室と弾性復元可能な弾性体からなる空気室との二室構成の点眼容器（特許公開２０００−１４０１１２号公報）が公知である。この点眼容器の空気室の空気吐き出し孔には、その出口近傍で点眼液溜り室底に連通するパイプによる通路が開いていて、空気室を指で押すとき吐き出される空気速度により点眼液溜り室から点眼液が吸引され、空気吐き出し孔の出口から点眼液がスプレイされる。【０００８】以上のように、従来の二室構成の点眼容器には、点眼液と粉末または顆粒状の薬剤との二種類の薬剤を同一容器内で保持・混合・取出しを行うために、二室構成を採用するものと、点眼液の雑菌による汚染対策という観点から圧力気体によって点眼液を流動させるために二室構成を採用するものとがある。これら従来の二室構成の点眼容器では、この点眼容器からの点眼液の点眼口は一つであり、かつ点眼液種は一種類である。これに対して本発明の二室構成の点眼容器では、一体の点眼容器内の二室のそれぞれに対応する二つの点眼口を有し、液種も二室に対応して二種類の液種が二室のそれぞれに収容されている。したがって、本発明と従来の二室構成の点眼容器の発明は、互いに別発明であり、本発明は、これらの関連引用発明の内容から示唆を受けるものはなく、課題と機能の共通性もない。【０００９】点眼容器について従来技術の調査を行った範囲では、二室構成の点眼容器の二室のうちの一室には洗眼薬液が収容され、他の一室には人工涙液または目薬液が収容されている点眼容器およびこのような容器に係る公知文献、また洗眼薬液と人工涙液または目薬液とをペアとして包装化した商品形態に係る公知文献は見当たらなかった。
【発明の開示】
【発明が解決しようとする課題】
【００１０】人が、目のかすみや目の乾きなどを感じるときは、目やにを伴っている場合が多い。特に高齢者の場合、１日当たりの目やに除去回数は加齢につれて増加するとともに、目やにを除こうとして市販の目薬液を１滴ないし３滴程度点眼しても、目やには除去されず、目やにによる目のかすみは改善されないことがしばしばである。そこで市販の目薬液の１日当たりの点眼回数を増し、そして１回当たりの点眼液量も多量にすることによって、目やにを除去しようとするとき、市販の目薬液の使用説明書の注意事項には、１回の点眼量は１滴ないし３滴の範囲、そして１日当たりの使用頻度は３回ないし５回の範囲に限るという記載がなされているため、市販の目薬液を多回数かつ多量に点眼する方法によって目やにの除去を行うには問題がある。【００１１】次いで市販の人工涙液を多量に点眼することによって、目やにの除去を実行しようとするならば、市販の人工涙液は、市販の目薬液と同様に８ｍｌから２０ｍｌの範囲の所定量が収容された一室構成の点眼容器という商品形態で、市販の目薬液と同程度の価格で販売されているため、かなりの高額負担になってしまうという問題がある。【００１２】そこで市販されている洗眼薬液によって目やにを除去しようとすると、市販の洗眼薬液は通常５００ｍｌが収容された瓶という商品形態で市販されていて、５００ｍｌの瓶から直接点眼するわけにはいかないという問題に突き当たる。【００１３】目やにの除去においてユーザーの希望は、先ず洗眼薬液によって目やにを除去し、次いで目やに除去後の目のパサパサ感を自然体的感覚に戻したいことである。そのためには市販の洗眼薬液によって目やにを除去し、その直後に市販の人工涙液または適合する目薬液を１滴ないし２滴点眼して目をケアする方法の実現が期待される。しかしながら、洗眼薬、人工涙液、目薬液のそれぞれが一室構成の点眼容器または瓶に収容され、単品を包装した商品形態で小売されている従来の状況の下では、使用する市販の洗眼薬液と市販の人工涙液または市販の目薬液との相互作用効果が、目に対してトラブルレスさらにはもし望めるならば良好なのは、どの商品の組み合わせであるのかについて、一般ユーザーには判断でき難いという問題がある。【００１４】本発明は、上記のような市販の目薬液、人工涙液、洗眼薬液の商品形態の問題に鑑みてなされたものであり、本発明の目的は、目やに除去とその直後のアイケアにおいて、商品選択が容易であり、目やに除去とその直後のアイケアが、いつでもどこでも行える目薬セットと目薬セット包装体を提供することにある。
【課題を解決するための手段】
【００１５】上記の目的を達成するため、本発明は、二室で構成した点眼容器の二室のうちの一方の室には洗眼薬液を収容し、他方の室には人工涙液または目薬液を収容した点眼容器を目薬セットとし、この目薬セットと目薬セットに係る説明書きを一体的に包装した新商品形態を提供するものである。【００１６】第一の発明は、Ａ室１ａとＢ室１ｂの二室からなる容器のＡ室１ａとＢ室１ｂの二室は互いに液体が連通しないように仕切られてあり、前記二室ともそれぞれが閉じた空間をなし、前記Ａ室１ａは所定の内容積を有し、前記Ｂ室１ｂは前記Ａ室１ａの内容積の１／１０以上１／２以下の所定の内容積を有する容器本体において、
前記Ａ室１ａの外側の所定の一側面に設けた突起形状のノズル部２ａを、
前記ノズル部２ａは該ノズル部２ａの突起形状の突起先端で所定の寸法の口径を有して外部に開いている点眼口３ａと前記点眼口３ａから前記Ａ室１ａに連通して形成する連通孔４ａと前記点眼口３ａの開閉を行う蓋５ａとを、
前記Ｂ室１ｂの外側の所定の一側面に設けた突起形状のノズル部２ｂを、
前記ノズル部２ｂは該ノズル部２ｂの突起形状の突起先端で所定の寸法の口径を有して外部に開いている点眼口３ｂと前記点眼口３ｂから前記Ｂ室１ｂに連通して形成する連通孔４ｂと前記点眼口３ｂの開閉を行う蓋５ｂとを、
備えた二室構成の点眼容器を形成し、
該点眼容器に内包されている前記Ａ室１ａには所定量の洗眼薬液を、
該点眼容器に内包されている前記Ｂ室１ｂには所定量の人工涙液または目薬液を、
収容した該点眼容器の一個または複数個からなる目薬セットである。【００１７】第二の発明は、新商品形態の提供に係るものであって、前記目薬セットと、前記目薬セットの使用法の説明書きと、前記目薬セットが有する洗眼薬液と人工涙液または目薬液の効能の説明書きと、を一体的に包装した包装体であると共に、前記目薬セットに洗眼薬液と人工涙液を収容した場合は洗眼薬液と人工涙液の両者が収納されている趣旨の説明書きを、または前記目薬セットに洗眼薬液と目薬液を収容した場合は洗眼薬液と目薬液の両者が収納されている趣旨の説明書きを、前記包装体の外面の所定の場所に表示した包装体である目薬セット包装体である。
【発明の効果】
【００１８】（１）本発明は、目やに除去とその直後のアイケアが、いつでもどこでも行える目薬セットを提供する。
（２）本発明は、目やに除去とその直後のアイケア商品において、従来のように商品選択に戸惑ったりすることなく容易に購入可能な新商品形態を提供する。
（３）本発明は、目やに除去とその直後のアイケア商品において、高齢の使用者にとって好都合な購入選択肢の新規提案であり、アイケア市場における潜在需要の引き出しと市場の拡大に寄与する効果が期待できる。
【発明を実施するための最良の形態】
【００１９】〔第１実施形態〕
図１は本発明の目薬セットである二室構成の点眼容器の一例を示している。図１の（ａ）は図１の（ｂ）での対称面ｑ１〜ｑ２に係る断面図であり、図１の（ｂ）は図１の（ａ）での対称面ｐ１〜ｐ２に係る断面図である。図１において１ａは洗眼薬液を収容するＡ室であり、このＡ室１ａは、ノズル部２ａと、点眼口３ａと、孔４ａと、蓋５ａを備えている。また図１において１ｂは人工涙液または目薬液を収容するＢ室であり、このＢ室１ｂは、ノズル部２ｂと、点眼口３ｂと、孔４ｂと、蓋５ｂを備えている。図１に見るように二室構成の点眼容器は、液体が互いに連通しないようにＡ室１ａとＢ室１ｂが仕切り部Ｓで仕切られていて、かつＡ室１ａとＢ室１ｂの内容積は、Ｂ室１ｂのほうがＡ室１ａに比べ小さく作られている。【００２０】成人の目の結膜嚢（ケツマクノウ；まぶたと眼球の隙間）が保持できる最大液量は約２０〜３０μＬであり、結膜嚢には約７μＬの涙液がもともと存在している。点眼液の１滴は約５０μＬなので、点眼液の１滴を成人の目に滴下すると、その滴下液量の５４パーセントから７４パーセントは眼外に流出してしまうことになる。しかし高齢者にあっては、目やに除去のために洗眼薬液の１滴〜２滴を目に滴下しても、目やにが除去されることはまれであり、目のしばたきを反復しながら洗眼薬液の１０滴を目に滴下することによって、ようやく目やにによる目のかすみが消えることもある。一方、目やに除去後の目のパサパサ感を自然体的感覚に戻すには、人工涙液（または目薬液）の点眼は１滴ないし２滴でよい。【００２１】これらのことを踏まえて、二室構成の点眼容器において、目やに除去用に使用する洗眼薬液を収容するＡ室１ａの内容積と目やに除去のあとのアイケアに使用する人工涙液または目薬液を収容するＢ室１ｂの内容積の比率として、Ｂ室１ｂの内容積の値をＡ室１ａの内容積の値で割り算した数値を採用し、この比率は１／１０以上１／２以下の数値であることが望ましい。若い人から高齢者までを考えるとき、例えば、青年や壮年者用の目薬セットでは比率が１／５〜１／２、高齢者用の目薬セットでは比率が１／１０〜１／６の範囲の所定の値を採用し、洗眼薬液量は青年・壮年者向けのものよりも増量するのが望ましい。【００２２】例として、点眼回数を５０回（＝５０滴）とすると、液量は５０×５０μＬ＝２．５ｍＬである。前記比率を１／５すなわち、洗眼薬液の量を人工涙液または目薬液の量の５倍を採用すると、洗眼薬液の量は１２．５ｍＬになる。  ここで各液が室内容積に占める割合を０．８３に設定すると、洗眼薬液を入れる室内容積は１５ｍＬ、人工涙液または目薬液を入れる室内容積は３ｍＬと計算される。【００２３】この計算結果を受けて、二室構成の点眼容器の目薬セットの実施形態の例を次に示す。二室構成の点眼容器のＡ室１ａの内容積を１５ｍＬとし、Ｂ室１ｂの内容積を３ｍＬとする。Ａ室１ａには１２．５ｍＬの洗眼薬液を収容し、Ｂ室１ｂには２．５ｍＬの人工涙液または目薬液を収容する。なお二室構成の点眼容器の材質は熱可塑性材料であり、図１にみるＡ室１ａとＢ室１ｂの側面部分の板厚は約０．４ｍｍである。目薬セットのＡ室１ａ部分の表面の所定の場所には洗眼薬液と表示するか、あるいは洗眼薬液入りと理解できるカナ文字またはパターンを表示する。Ｂ室１ｂ部分の表面の所定の場所にも収容されている液種名（人工涙液または目薬液）を表示するか、あるいは収容されている液種名（人工涙液または目薬液）入りと理解できるカナ文字またはパターンを表示する。【００２４】この目薬セットの使用は、「図１に示す二室構成の点眼容器のＡ室１ａの蓋５ａを外し、瞼を強く閉じる次に開くことの繰り返しを行いながら、点眼口３ａから必要量の洗眼薬液を例えば５滴点眼して目やにの除去を行ったのち、点眼口３ａを蓋５ａで閉じる。目やにを除去したあとは、目がパサパサした感じの残ることがままあるので、目の感じを自然体的感覚に戻すために、Ｂ室１ｂの蓋５ｂを外して点眼口３ｂから人工涙液（または目薬液）の１滴ないし２滴を点眼する。点眼し終えたら点眼口３ｂを蓋５ｂで閉じる」という手続きによって行われる。【００２５】図２は、目薬セットとして二室構成の点眼容器を内包した目薬セット包装体の例である。この包装体０１の正面上部には、「アイケアセット」というこの目薬セットのブランド名０２を表示する。そして、その下には、「スッキリ＆ハッキリ」という、この目薬セットのキャッチフレーズ名０３を表示する。また、その下には、洗眼薬液と人工涙液（または目薬液）が収容されているという趣旨の説明書き０４を表示する。この包装体０１内には、図１に示す目薬セットと、目薬セットの使用方法および洗眼薬液と人工涙液または目薬液の効能を説明するリーフレットが入れてある。包装体０１に同封するこのリーフレットにおいてなされている説明は、必ずしもリーフレットの形にする必要はなく、包装体０１の側面（あるいは包装体の一部）に、直接、表示するようにしても差し支えない。【００２６】〔第２実施形態〕
次に１回使いきりタイプの二室構成の点眼容器の目薬セットの例を説明する。図３は１回使いきりタイプの二室構成の点眼容器の外観図である。１回使いきりタイプの二室構成の点眼容器は、図１のＡ室１ａとＢ室１ｂとＳの横断面積を変形縮小して細い管状にしたものであり、熱可塑性材料製である。図１に示す二室構成の点眼容器と図３に示す１回使いきりタイプの二室構成の点眼容器との違いは、大きさとＡ室１ａとＢ室１ｂとＳの横断面形状の違いである。すなわち図１の二室構成の点眼容器のＡ室１ａとＢ室１ｂの横断面形状は矩形あるいは長楕円形であるのに対して、図３の１回使いきりタイプの二室構成の点眼容器におけるＡ室１ａとＢ室１ｂの横断面形状は（図示されていないが）円形または楕円形であり、Ｓの横断面形状は矩形または長楕円形である。【００２７】図３において、Ａ室１ａの内容積は０．６ｍＬであり、このＡ室１ａには０．５ｍＬの洗眼薬液が収容してあり、またＢ室１ｂの内容積は０．２５ｍＬであり、このＢ室１ｂには０．２ｍＬの人工涙液または目薬液が収容してある。点眼液の１滴を５０μＬとして、この例では、Ａ室１ａには洗眼薬液が点眼の滴数で約１０滴分入っており、Ｂ室１ｂには人工涙液（または目薬液）が約４滴分入っている。なお図３のＡ室１ａとＢ室１ｂの管壁の厚さは約０．３ｍｍである。この例においても、Ａ室１ａ部分の表面の所定の場所には洗眼薬液と表示するか、あるいは洗眼薬液入りと理解できるカナ文字またはパターンを表示する。またＢ室１ｂ部分の表面の所定の場所にも収容されている液種名（人工涙液または目薬液）を表示するか、あるいは収容されている液種名（人工涙液または目薬液）入りと理解できるカナ文字またはパターンを表示する。【００２８】図４に、１回使いきりタイプの二室構成の点眼容器を所定の複数本（例えば１２本）入れた目薬セット包装体０５を示す。０５の正面上部には、「１回使いきりアイケアセット」という、目薬セット包装体のブランド名０２が表示されている。そして、その下には、「スッキリ＆ハッキリ」という、この目薬セット包装体のキャッチフレーズ名０３が表示されている。また、その下には、洗眼薬液と人工涙液（または目薬液）が収納されているという趣旨の説明書き０４がなされている。  また０５内には、目薬セットの使用方法および洗眼薬液と人工涙液または目薬液の効能を説明するリーフレットが入っている。このリーフレットにおいてなされている説明は、必ずしもリーフレットにする必要はなく、０５の側面に、直接、表示するようにしても差し支えない。なお、１回使い切りタイプの二室構成の点眼容器の包装本数は、必ずしも１２本である必要はなく、例えば６本、１８本あるいは２４本など、所定の本数であっても差し支えない。【００２９】図５は、１回使いきりタイプの二室構成の点眼容器複数本のそれぞれを、１回使いきりタイプの二室構成の点眼容器のＡ室１ａとＢ室１ｂの仕切り部Ｓの所定の部位ｆで、互いに熱溶着によって、連結した目薬セットの説明図である。図５のｆは線状または点列状の熱溶着部位であって、このｆの強度は、使用時に１回使いきりタイプの二室構成の点眼容器のそれぞれを、成人が両手の指で容易に切り離せる程度であることが望��しい。そしてこのような１回使いきりタイプの二室構成の点眼容器を所定本数連結したものを、図４の目薬セット包装体に包装してもよい。【００３０】〔第３実施形態〕
本発明の目薬セットは、様々な形状のデザインに展開できる。第３実施形態として、熱可塑性樹脂製で、容器の透明性と形のコンパクト性を備えたコンパクトタイプ目薬セットの外観図を図６に示す。図６の符号は図１に準じている。図６において、Ａ室１ａとＢ室１ｂは容器内でＳによって仕切られていて、点眼口３ａと３ｂは、三角コーナーのような形状の蓋５ａと蓋５ｂで閉じられている。Ａ室１ａには洗眼薬液が、Ｂ室１ｂには人工涙液または目薬液が収容されている。洗眼薬液量と人工涙液量（または目薬液量）との比率は、この二室構成の点眼容器の寸法設計によって容易に定めることができる。なお蓋５ａと蓋５ｂが、点眼容器側面で、線状の軟質弾性プラスチックヒンジによって開閉自在に係合する構造を採用することは容易である。【００３１】〔他の実施形態〕
前記比率が１／１０以上１／２以下の所定の条件で、所定量の洗眼薬液を独立した点眼容器Ａに収容し、所定量の人工涙液または目薬液を独立した点眼容器Ｂに収容し、これら点眼容器Ａと点眼容器Ｂの両者の組を目薬セットとし、この組を一体包装した商品形態で目薬セット包装体を構成することは、本発明から容易に類推される。但しこの構成の場合、独立した点眼容器Ａと独立した点眼容器Ｂとの間の寸法や形状の差異がかなり大きくなり、携行上トラブルを起こしやすい。このトラブルを避けるために、独立した点眼容器Ａと独立した点眼容器Ｂとが互いにあるいは第三の物体を介して係合または係止または包入できる手段を備えた目薬セットとする。【００３２】また当業者が、二室構成の点眼容器のＡ室１ａに洗眼薬液の所定量を、この二室構成の点眼容器のＢ室１ｂにアレルギー用点眼薬液の所定量を、それぞれ収容してなるアレルギー対策用目薬セットとし、花粉症対策用の目薬セット包装体として本発明を構成することは容易である。
【図面の簡単な説明】
【００３３】
【図１】本発明の目薬セット（二室構成の点眼容器）の断面図である。
【図２】本発明の目薬セット包装体の説明図である。
【図３】本発明の１回使いきりタイプの目薬セット（１回使いきりタイプ二室構成の点眼容器）の外観図である。
【図４】本発明の１回使いきりタイプ目薬セット包装体の説明図である。
【図５】本発明の１回使いきりタイプの目薬セット複数本の連結の説明図である。
【図６】本発明のコンパクトタイプ目薬セットの説明図である。
【符号の説明】
【００３４】１ａ  洗眼薬液を収容するＡ室
２ａ  １ａの外側の所定の一側面に設けた突起形状のノズル部
３ａ  ２ａの突起形状の突起先端で外部に開いている点眼口
４ａ  ３ａと１ａとの連通孔
５ａ  ３ａを開閉する蓋
１ｂ  人工涙液または目薬液を収容するＢ室
２ｂ  １ｂの外側の所定の一側面に設けた突起形状のノズル部
３ｂ  ２ｂの突起形状の突起先端で外部に開いている点眼口
４ｂ  ３ｂと１ｂとの連通孔
５ｂ  ３ｂを開閉する蓋
０１  目薬セット包装体
０２  目薬セットのブランド名
０３  目薬セットのキャッチフレーズ名
０４  洗眼薬液と人工涙液（または目薬液）が収容されているという趣旨の説明書き
０５  １回使いきりタイプ目薬セット包装体
Ｓ    Ａ室１ａとＢ室１ｂの仕切り部
ｆ    熱溶着部位
【図１】
2008104822.tif 000003
【図２】
2008104822.tif 000004
【図３】
2008104822.tif 000005
【図４】
2008104822.tif 000006
【図５】
2008104822.tif 000007
【図６】
2008104822.tif 000008